(57)【要約】【課題】  外階段の外周に取り付けられる手摺板やバルコニーの外壁のような立上げ壁構造部分の階段やバルコニー等の床スラブへの取付け作業を安全に行えるようにする。【解決手段】  床スラブ２０の長手方向に所定間隔をあけ、床スラブ２０の外側端面に定着プレート３２ａの一部が現れる箱抜き部３５を有するように、床スラブ２０内にアンカーブロック３０を埋設する。アンカーブロック３０の埋設間隔に等しい間隔で、手摺板１０内の補強筋１２に固定保持され、床スラブ２０に向けて突出したネジ部が定着プレート３２ａの貫通孔を通るように埋設されたアンカーボルト１１とを備え、手摺板１０を床スラブ２０側面位置に仮支持させた状態で、ネジ部を定着プレート３２ａに定着して床スラブ２０に取り付ける。【選択図】  図１
2005105549.tif 000002
【特許請求の範囲】
【請求項１】
床スラブの長手方向に所定間隔をあけ、該床スラブの外側端面及び上面にネジ定着部の一部が現れる箱抜き部を有するように、前記床スラブ内に埋設されたアンカーブロックと、該アンカーブロックの埋設間隔に等しい間隔で、立上げ壁板内の補強筋に固定保持され、前記床スラブに向けて突出したボルトネジ部が前記ネジ定着部に位置するように埋設されたアンカーボルトとを備え、前記立上げ壁板を、前記床スラブ側面位置に仮支持させた状態で、前記ボルトネジ部を前記ネジ定着部に定着して、前記立上げ壁を前記床スラブに取り付けたことを特徴とするプレキャストコンクリート立上げ壁の取付構造。
【請求項２】
前記床スラブのアンカーブロックに対向する前記立上げ壁板側面に凹所を設け、該凹所にグラウト充てんしてシアコッターを形成したことを特徴とする請求項１記載のプレキャストコンクリート立上げ壁の取付構造。
【請求項３】
前記立上げ壁板は、前記アンカーボルト近傍に配設された仮受け治具を前記床スラブ端に載置して、前記床スラブに仮支持させたことを特徴とする請求項１記載のプレキャストコンクリート立上げ壁の取付構造。
【発明の詳細な説明】
【技術分野】
【０００１】
本発明はプレキャストコンクリート立上げ壁の取付構造に係り、特に外階段の外周に取り付けられる手摺板やバルコニーの外壁のような立上げ壁構造部分の階段やバルコニー等の床スラブへの取付け作業を安全に行え、意匠的にも優れたプレキャストコンクリート立上げ壁の取付構造に関する。
【背景技術】
【０００２】
近年、鉄筋コンクリート構造の集合住宅に付帯する屋外階段としてプレキャストコンクリート（以下、ＰＣａと記す。）階段ユニットを、建物躯体に連接させたタイプが増えてきている。この種のＰＣａ階段ユニットは建物躯体と一体化したデザインを実現でき、鉄骨階段等に比べメンテナンスフリーの点が高く評価されている。また意匠上の高級感を出すため外周壁を構成するＰＣａ立上げ壁で手摺を構成することも多い。
【０００３】
出願人は、この立上げ壁として、ＰＣａ手摺板を階段床スラブの側端面に、所定間隔をあけて水平方向にスリーブ継手を介してＰＣａ手摺板に埋設されている接合鉄筋と階段床スラブ内に埋設されている支持鉄筋とを連結し、手摺とスラブの一体化を図ったプレキャストコンクリート立上げ壁の取付構造を提案している（特許文献１参照）。
【０００４】
この取付構造では、外壁面にジョイント目地を設ける作業がなく、手摺板の製造時に外壁面仕上げを先行して行うことができるため、手摺の外側で行う高所作業をなくすことができ、取付作業時の施工の安全性を高めることができる。また、手摺板とスラブ端面との間に形成された下面側のジョイント目地部分を水切り目地として機能させることができる。これにより手摺外面スラブから伝わる雨水を遮断でき、雨水がスラブ下面に回り込んで下階階段に滴下するのを防止することができる。
【０００５】
他の従来例として、プレキャストコンクリート立上げ壁の外壁面にジョイント目地を設けないようにしたプレキャストコンクリート板の接合方法および接合構造が開示されている（特許文献２参照）。この接合構造では、手摺板の下端に形成された接続孔から接続ボルトをスラブ側の側面に設けられたインサートに連結し、その後、接続孔をモルタル等で充てんする構造となっている。
【０００６】
【特許文献１】特許第３２１５６７０号公報
【特許文献２】特許第２７９００４５号公報
【発明の開示】
【発明が解決しようとする課題】
【０００７】
特許文献１に記載の発明では、ＰＣａ手摺板が階段床スラブの側面に取り付けられるため、ＰＣａ手摺板をスリーブ継手で階段床スラブに固定する際に、グラウト部の強度が確保できるまで手摺板及び接合部を仮設支持鉄骨等で支持し、手摺板を安定した状態で仮止めしておく必要がある。また、特許文献２に記載の発明では、接続ボルトによる手摺板の取り付け作業および接続ボルト施工後の接続孔のグラウト作業を手摺板外側から行わなければならない。したがって、それらの作業を安全に行えるように、外部足場等の安全設備を設ける必要がある。そこで、本発明の目的は上述した従来の技術が有する問題点を解消し、手摺板の取付作業を床スラブ側から安全に行え、その際、手摺板を階段やバルコニー等の張り出した床スラブの端部上に仮支持させるようにしたプレキャストコンクリート立上げ壁の取付構造を提供することにある。
【課題を解決するための手段】
【０００８】
上記目的を達成するために、本発明は床スラブの長手方向に所定間隔をあけ、該床スラブの外側端面及び上面にネジ定着部の一部が現れる箱抜き部を有するように、前記床スラブ内に埋設されたアンカーブロックと、該アンカーブロックの埋設間隔に等しい間隔で、立上げ壁板内の補強筋に固定保持され、前記床スラブに向けて突出したボルトネジ部が前記ネジ定着部に位置するように埋設されたアンカーボルトとを備え、前記立上げ壁板を、前記床スラブ側面位置に仮受けさせた状態で、前記ボルトネジ部を前記ネジ定着部に定着して、前記立上げ壁を前記床スラブに取り付けたことを特徴とする。
【０００９】
このとき、前記床スラブのアンカーブロックに対向する前記立上げ壁板側面に凹所を設け、該凹所にグラウト充てんしてシアコッターを形成することが好ましい。
【００１０】
また、前記立上げ壁板は、前記アンカーボルト近傍に配設された仮受け治具を前記床スラブ端に載置して、前記床スラブに仮支持させることが好ましい。
【発明の効果】
【００１１】
以上に述べた発明の特徴によれば、手摺板の床スラブへの取り付け作業を既施工の床スラブ側から、安全かつ容易に行え、また外壁面の補修等の作業も不要であり、施工時の安全性も高く、またメンテナンス面でも利点の多い立上げ壁構造を提供できるという効果を奏する。
【発明を実施するための最良の形態】
【００１２】
以下、本発明のプレキャストコンクリート立上げ壁の取付構造の実施の最良の形態として以下の実施例について、添付図面を参照して説明する。
【実施例】
【００１３】
図１は本発明のプレキャストコンクリート（ＰＣａ）立上げ壁の取付構造１の概要を示した部分断面図である。本実施例では、ＰＣａ立上げ壁の取付構造の一例として、ＰＣａ手摺板１０（以下、単に手摺板１０と記す。）を階段床スラブ２０の側面への取付構造を、図１以下に示している。そしてこの手摺板を床スラブ２０の側面に取り付けるために、床スラブ２０の側端面にはスラブの長手方向に沿って所定間隔をあけてアンカーブロックが埋設されている。このアンカーブロック３０の定着プレート３２ａに、手摺板１０に埋設されたアンカーボルト１１の頭部１１ａが定着され、手摺板１０と床スラブ２０との一体化が図られている。
【００１４】
手摺板１０は、図１，図５に示したように、手摺板取付固定用のアンカーボルト１１が側面から水平方向に突出するように埋設されたプレキャストコンクリート製の工場製品で、本実施例では、アンカーボルト１１は、一端が手摺板１０内の補強筋１２に支持プレート１３を介して支持され埋設されている。また、後述する床スラブ２０のアンカーブロック３０の対向する手摺板１０の表面には、後工程でシアコッター１４が形成される凹所１５が設けられている。
【００１５】
本実施例の床スラブ２０は、図１に示したように、現場打ちコンクリートと一体化して床スラブを構成するハーフプレキャストコンクリート板からなり、所定位置に設置された後に、プレキャスト部分にあらかじめ埋設された床配筋２１に図示しない接合筋を介して現場床配筋を結束し、床面となる現場コンクリート２２を打設するようになっている。
【００１６】
アンカーブロック３０は、本実施例では、図１，図２各図に示したように、手摺板１０からのアンカーボルト１１のネジ部１１ｂにナット３１を締着して固定するアンカーボルト定着部で、所定サイズの山形鋼のフランジ３２が定着プレート３２ａと底面プレート３２ｂとなるように、両端部が補剛仕切プレート３３で補剛された鋼材組立部材からなる。さらに補剛仕切プレート３３の各外側面には所定長さのアンカー鉄筋３４が固着されている。アンカーブロック３０は、各フランジ３２ａ、３２ｂ及び補剛仕切プレート３３で囲まれた部分が床スラブ上面に露出するような箱抜き部３５を形成するように、プレキャストコンクリート板の製作段階でコンクリート内の所定位置に埋設される。この箱抜き部３５は、後述する手摺板１０の取付時に、定着プレート３２ａに形成された貫通孔３６から突出した手摺板１０のアンカーボルト１１のネジ部１１ｂにナット３１を締着するネジ定着部として機能する。
【００１７】
本実施例では、図２（ａ），（ｂ）に示したように、アンカーブロック３０として、長さ１８０mmの山形鋼（L-100×100）が用いられ、その両端に板厚１６mmの補剛仕切プレート３３が溶接され、さらに補剛仕切プレート３３の外側面にはアンカー鉄筋３４として長さ６００mmの異形棒鋼（Ｄ１６）の端部が溶接されている。アンカーボルト１１のネジ部１１ｂは定着プレート３２ａの貫通孔３６からネジ定着部に突出し、支圧プレート３７を介在させてナット３１により締着される。図２（ｃ）は、アンカーブロック３０に対向する位置の手摺板１０側表面にシアコッター１４を形成するためにあらかじめ設けられた凹所１５を示した部分正面図である。この凹所１５はアンカーボルト１１のネジ接合後に、周囲の隙間がシールされた状態でグラウトが充填され、グラウト固化により凹凸部がかみ合ったシアコッター１４が形成され、接合部での十分なせん断強度が確保される。
【００１８】
次に、手摺板１０の仮受け治具および仮受け治具を用いた手摺板１０の床スラブ２０への取り付け方法について、図３〜図５を参照して説明する。
仮受け治具４０は、図３に示したように、ホールインアンカー等の後施工アンカー４１で手摺板１０側面に固定された山形鋼ピース４２を本体として、下面フランジ４２ｂに支点ボルト４３が螺着された手摺板の仮設支持部材である。支点ボルト４３は、図３に示したように、手摺板１０の設置時に先端４３ａが床スラブ２０の端部のスラブ面上に載置される。このとき支点ボルト４３のねじ込み長（脚長）を調整することで仮受け治具４０の高さ、すなわち手摺板１０の設置高さを上下方向に微調整することができる。各仮受け治具４０は、図４に示したように、手摺板１０のアンカーボルト１１の近くに取り付けられ、床スラブ２０の端部におけるアンカーブロック３０の貫通孔位置の高さ微調整を行い、アンカーボルト１１がアンカーブロック３０に確実に定着できるようにする役割を果たしている。
【００１９】
ここで、手摺板１０の床スラブ２０の端部への取り付け手順について、図５を参照して説明する。図５には、ハーフプレキャストコンクリート板からなる床スラブ２０が仮設パイプ支柱２（サポート）により所定位置に支持された状態が示されている。また、同図には、床スラブ２０の側面に取り付けられる手摺板１０の吊持された状態と仮支持状態とが、説明のために合わせて図示されている。手摺板１０の頂部には吊り金物３が、内側側面上部には起立保持サポート４の取付金物５が、内側側面下部には上述の仮受け金物４０が、図示しない固定ボルトにより固着されている。手摺板１０は、図示しないクレーン等の揚重機のワイヤ６により吊り金物３位置で吊り上げられ、床スラブ２０位置まで搬入される。そして、仮受け金物４０の支点ボルト４３を床スラブ２０の端部に載置すると同時に、アンカーボルト１１のネジ部をアンカーブロック３０の定着プレート３２ａの貫通孔に挿入し、ナット３１による仮止めを行うとともに、手摺板１０の転倒防止のために、起立保持サポート４の上端を取付金物５に連結する。アンカーボルト１１の本締めの後、シアコッター１４（図１参照）形成のためにシーリングされた範囲、アンカーブロック３０のネジ定着部の箱抜き部３５内をグラウト充てんし、床スラブ２０と手摺板１０との最終的な一体化を図る。所定の養生期間の後、起立保持サポート４及び仮受け治具４０等の仮設治具を撤去し、床スラブ２０の場所打ちコンクリート部分の施工を行う。
【００２０】
なお、以上で説明した手摺板１０、床スラブ２０の断面形状は一例であり、想定される立て壁形状によりアンカーボルト１１の取付位置、対応するアンカーブロック３０の埋設位置等は、本発明の技術的特徴を満足する範囲内で、種々の改変が可能であることはいうまでもない。
【図面の簡単な説明】
【００２１】
【図１】本発明の一実施例としてプレキャストコンクリート手摺板の床スラブへの取付構造を示した部分断面図。
【図２】アンカーブロックおよびシアコッターの構成を示した部分断面図。
【図３】手摺り板に取り付けた仮受け治具の実施例を示した部分断面図。
【図４】床スラブのアンカーブロックと手摺板の仮受け治具の配置例を示した平断面図。
【図５】手摺り板の床スラブへの取り付け作業状態を示した状態説明図。
【符号の説明】
【００２２】
１  取付構造
１０  手摺板
１１  アンカーボルト
１４  シアコッター
２０  床スラブ
３０  アンカーブロック
３１  ナット
３２ａ  定着プレート
３５  箱抜き部
４０  仮受け治具
【図１】
2005105549.tif 000003
【図２】
2005105549.tif 000004
【図３】
2005105549.tif 000005
【図４】
2005105549.tif 000006
【図５】
2005105549.tif 000007